(57)【特許請求の範囲】
【請求項１】
ビール等醗酵麦芽飲料を含む飲料等の冷却工程を持つ製造工程での各冷却ユニットへ冷熱媒体を介して冷熱を供給する冷熱循環供給路と、該冷熱循環供給路へ流動性氷のダイナミックアイス等を介して潜熱を供給する高密度熱循環供給路とよりなる飲料製品冷却用ダイナミック冷却システムにおいて、
前記冷熱循環供給路を冷熱媒体が還流する還流路として形成し、該還流路に混相流ステーションを混相流供給路及び戻り路を介して接続し、
さらに該混相流ステーションと、ダイナミックアイスがその蓄熱槽間を循環する高密度熱循環供給路と、の間をダイナミックアイス供給路及び戻り路を介して接続し、前記ダイナミックアイスを高密度熱循環供給路より前記混相流ステーションを介して前記冷熱循環供給路に送り込み、ダイナミックアイスと前記冷熱媒体との間で直接接触される混相流の形成により潜熱の冷熱変換をなすように構成したことを特徴とする飲料製品冷却用ダイナミック冷却システム。
【請求項２】
ビール等醗酵麦芽飲料の冷却工程を持つ製造工程での各冷却ユニットへ冷熱媒体を介して冷熱を供給する冷熱循環供給路と、該冷熱循環供給路へ流動性氷のダイナミックアイス等を介して潜熱を供給する高密度熱循環供給路とよりなる請求項１記載の飲料製品冷却用ダイナミック冷却システムにおいて、
前記麦芽飲料の仕込み工程の麦汁冷却部については前記混相流ステーションから直接仕込み工程の麦汁冷却部部に入り、その出口ブラインは直接カスケード冷凍ユニットを介して前記混相流ステーションに戻るように構成されていることを特徴とするビール等醗酵麦芽飲料製品冷却用ダイナミック冷却システム。
【請求項３】
前記冷水用の冷熱循環供給路は、煮沸液を約−１〜３０℃前後に冷却するための冷水製造用低温の冷熱媒体であるブラインを搬送することを特徴とする請求項２記載の飲料製品冷却用ダイナミック冷却システム。
【請求項４】
前記請求項１記載の氷蓄熱冷凍ユニット若しくは請求項２記載のカスケード冷凍ユニットの冷凍機にはアンモニア圧縮式冷凍機を使用するとともに、高温の排熱回収を行い給湯用に使用させたことを特徴とする請求項１若しくは請求項２記載の飲料製品冷却用ダイナミック冷却システム。
【請求項５】
前記ダイナミックアイスが、冷熱媒体のプロピレングリコール水溶液を原液とし製造されたダイナミックアイスであり、該ダイナミックアイスを蓄熱槽に蓄熱させ常時貯留する構成にしたことを特徴とする請求項１若しくは請求項２記載の飲料製品冷却用ダイナミック冷却システム。
【発明の詳細な説明】
【０００１】
【発明の属する技術分野】
本発明は、製造工程に冷却ユニットによる冷却工程を持つビール等醗酵麦芽飲料を含む飲料製品に関するもので、冷却ユニットへ冷熱を供給する冷熱循環供給路と、流動性氷のダイナミックアイス等の潜熱を供給する高密度熱供給路との間にダイナミックアイスの潜熱供給変換手段を設け、前記冷却ユニットへ冷熱の安定供給を可能とする飲料製品冷却用ダイナミック冷却システムに関する。
本発明で潜熱を供給する冷熱媒体として例示している、流動性氷水のダイナミックアイスは、原液にプロピレングリコール水溶液を使用し、氷製氷機によりシャーベット状に形成した氷水を指している。
【０００２】
【従来の技術】
製造工程に冷却工程を持つ飲料製品で、例えばビール等醗酵麦芽飲料の生産は、麦芽に温水を加えて煮沸して形成された麦汁に含まれるモロミを濾過して、該麦汁にする仕込み工程と、熱麦汁を冷却し酵母を加え醗酵させる醗酵工程と、醗酵直後の若ビール等醗酵麦芽飲料を熟成させる貯酒工程と、熟成したビール等醗酵麦芽飲料をろ過清澄にするろ過工程と、ろ過したビール等醗酵麦芽飲料を缶詰め、壜詰め、樽詰めをする製品工程とにより行なわれている。
さらには麦芽の一部に澱粉質の副原料等を用いてもモロミを形成する。ビール並びに発泡酒用の麦芽も該麦汁に相当する。
【０００３】
前記したように、仕込み工程以降の醗酵工程→貯酒工程→ろ過工程においては、所用の冷却処理をするため、多種多様の冷却負荷が存在し、冷却温度も数種類にわたっている。
また、上記それぞれの冷却負荷は時間帯によって大きさを異にしている。
そして、下記表１に示すビール製造工程における温度条件に基づき使用ブライン温度を設定して冷却処理をしている。
【０００４】
【表１】
0003710712.tif 000002
【０００５】
前記ビール製造工程と温度条件に合わせて、低温ブライン液Ａ、Ｂ、Ｃ、Ｄを用意し、時間帯によっては大きさと全負荷におけるその割合が変化する多種多様の変動負荷に対処させるべく、例えば、図４に示す模式図に見るように、複数の冷凍機群５０を用意し、製麦工程１５ａとびん・缶・樽詰め工程１５ｂとの間の仕込み工程１４、醗酵工程１１、貯酒工程１２、ろ過工程１３に設けた各冷却ユニット群へのブライン冷熱循環回路を介して、前記低温ブライン液Ａ、Ｂ、Ｃ、Ｄを還流させている。
または、図３の新設の場合のダイナミックアイスシステムの概略図に示すように、ループ１管式ダイナミックアイス循環ライン２５と、製氷用冷凍機１７、ダイナミックアイス（流動性氷）蓄熱槽１８とを設け、前記ダイナミックアイス蓄熱槽１８に貯留蓄熱されたダイナミックアイスを前記循環ライン２５を介して略一定の氷充填率のもとに循環させ、循環の過程で仕込み工程１４と醗酵工程１１と貯酒工程１２とろ過工程１３との間でそれぞれの熱交換器１４ａ、１１ａ、１２ａ、１３ａを介して冷熱熱交換をさせ、負荷の変動にも対応所定の冷却処理を可能とした、ループ１管式ダイナミックアイス循環方式を使用するか、のいずれかである。
【０００６】
前記ダイナミックアイスによる冷却方式とブライン冷熱循環路を使用して、前記ループ１管式ダイナミックアイス循環方式と同様の高い冷却効率を得るためには、イニシアルコストの掛かるループ１管式に変更する工事が必要となる。
そのため、現在の各冷却ユニットへ冷熱を供給するブライン冷熱循環供給路を利用した高効率、低コストのダイナミックアイスによる潜熱冷却システムの実現が強く望まれている。
【０００７】
一方エネルギと地球環境問題を考えるとき、前記冷却システムには、省エネルギ、環境負荷低減に寄与し電力負荷平準化に貢献するとともに、機器容量の圧縮と契約電力の削減、夜間電力の有効利用や、夏期電力のピークカットにも対応出来るシステムが要求されている。
【０００８】
【発明が解決しようとする課題】
本発明は前記問題点を解決すべくなされたもので、
ビール等醗酵麦芽飲料を含む飲料製品の製造工程の各冷却ユニットを設けたブライン冷熱循環供給路群を使用する冷却システムにおいて、
ダイナミックアイス（流動性氷）の製氷蓄熱手段と、前記ダイナミックアイスの潜熱を前記冷熱循環供給路へ供給する高密度熱供給手段と、供給された潜熱を冷熱循環供給路で冷熱に変換する潜熱供給変換手段とにより、
各冷却ユニットへ冷熱の供給をなし、飲料製品の冷却工程の多種多様の変動負荷に対応を可能にした、高経済性、省エネルギ性、環境調和型の飲料製品冷却用低コストのダイナミック冷却システムの提供を目的とするものである。
【０００９】
【課題を解決するための手段】
そこで、発明のビール等醗酵麦芽飲料を含む飲料製品冷却用ダイナミック冷却システムは、ビール等醗酵麦芽飲料を含む飲料等の冷却工程を持つ製造工程での各冷却ユニットへ冷熱媒体を介して冷熱を供給する冷熱循環供給路と、該冷熱循環供給路へ流動性氷のダイナミックアイス等を介して潜熱を供給する高密度熱循環供給路とよりなる飲料製品冷却用ダイナミック冷却システムにおいて、
前記冷熱循環供給路を冷熱媒体が還流する還流路として形成し、該還流路に混相流ステーションを混相流供給路及び戻り路を介して接続し、
さらに該混相流ステーションと、ダイナミックアイスがその蓄熱槽間を循環する高密度熱循環供給路と、の間をダイナミックアイス供給路及び戻り路を介して接続し、前記ダイナミックアイスを高密度熱循環供給路より前記混相流ステーションを介して前記冷熱循環供給路に送り込み、ダイナミックアイスと前記冷熱媒体との間で直接接触される混相流の形成により潜熱の冷熱変換をなすように構成したことを特徴とする。
【００１０】
前記請求項１記載の発明は、本発明の目的である、経済性、省エネ性、環境調和型のビール等醗酵麦芽飲料を含む飲料製品のダイナミック冷却システムについて、前記飲料製品の製造工程の冷却工程に設けた冷却ユニット群と冷熱源との間を結ぶ冷熱循環供給路群を利用する構成を記載したもので、
前記冷熱循環供給路群に複数の混相流ステーションを設け、該混相流ステーション群を介して高密度熱供給路よりのダイナミックアイスと直接接触によりダイナミックアイスの潜熱を直接接触する前記冷熱循環供給路の冷熱媒体であるブラインを介して冷熱に変換して各冷却ユニットへ放出し、変動する負荷に対応させる構成としたものである。
【００１１】
なお、前記ダイナミックアイスは後記するように前記冷熱源である氷蓄熱冷凍ユニットの氷蓄熱槽より、高密度熱供給路を介して所定氷充填率のもとに循環する。
【００１２】
本発明は、前記冷熱循環供給路群を介して各冷却ユニット群へ冷熱を供給する冷熱媒体に潜熱を供給する高密度熱供給路を循環するダイナミックアイスの冷熱源に付き記載したもので、
原液にはプロピレングリコール水溶液を使用し、氷製氷機によりダイナミックアイスを生成し氷蓄熱槽に蓄熱する夜間蓄熱も可能とする蓄熱手段により構成してある。
【００１３】
前記夜間電力使用可能蓄熱手段により、電力負荷の平準化が図ることができるとともに、安価な電力料金体系である産業用蓄熱調整契約の適用を受けることにより、電力料金と電力基本料金を大幅に削減を期待でき、エネルギ利用負荷を平準化して経済的効果を図る。
また、電力消費のピークが夏期昼間に集中消費に起因する昼夜の電力消費の格差を解消して電力需要の平準化を行なうとともに、ピークカット時の冷却運転を可能とし、社会的にはピーク時の電力消費に対応する電力プラントの増設拡大及び電力プラントからの炭酸ガス等排出の抑制に貢献し、大きな経済的意義を形成するとともに、省エネ的にも環境に調和するシステムを提供することになる。
なお、冷凍機の夜間運転に伴って外気温湿度の低下によるＣＯＰ（冷凍機としての成績係数）の向上を図ることが出来、また、熱源機器の運転がＯＮ、ＯＦＦ運転が少なく定格運転に近い、効率的な運転となり、この点からも省エネ化が可能となる。
【００１４】
また、前記氷蓄熱冷凍ユニットにより流動性氷であるダイナミックアイスを生成する構成にしてあり、氷蓄熱槽より冷却ユニットが接続する冷熱循環供給路へ潜熱の供給は前記氷蓄熱槽に設けた高密度熱供給路を介して行なうようにしてある。
前記高密度熱供給路を介しての潜熱輸送により、配管径の縮小と搬送ポンプ容量の削減が可能となり、イニシアルコスト及びランニングコストの削減を図っている。
【００１５】
また、請求項２記載の発明は、ビール等醗酵麦芽飲料の冷却工程を持つ製造工程での各冷却ユニットへ冷熱媒体を介して冷熱を供給する冷熱循環供給路と、該冷熱循環供給路へ流動性氷のダイナミックアイス等を介して潜熱を供給する高密度熱循環供給路とよりなる請求項１記載の飲料製品冷却用ダイナミック冷却システムにおいて、
前記麦芽飲料の仕込み工程の麦汁冷却部については前記混相流ステーションから直接仕込み工程の麦汁冷却部部に入り、その出口ブラインは温度が高いので直接カスケード冷凍ユニットを介して前記混相流ステーションに戻るように構成されていることを特徴とする。
【００１６】
前記発明は、前記混相流ステーションを、前記氷蓄熱冷凍ユニットとは別に設けた等容量の複数ブラインクーラを多段縦継なぎにして形成したカスケード冷凍ユニットと負荷とを結ぶ冷水用の冷熱循環供給路に設けたもので、
前記混相流ステーションに、氷蓄熱槽よりの高密度熱供給路のダイナミックアイスを導入し、前記冷水用の冷熱循環供給路の冷熱媒体であるブライン（冷水）との直接接触により、前記麦芽飲料の仕込み工程の麦汁冷却部については前記カスケード冷凍ユニットからの冷熱媒体供給のバックアップをする構成としたものである。
【００１７】
また、本発明は前記冷水用の冷熱循環供給路は、約−１〜３０℃前後に煮沸液を冷却するための冷水製造用低温の冷熱媒体であるブラインを搬送することを特徴とする。
【００１８】
前記請求項３記載の発明は、前記冷水用の冷熱循環供給路について記載したもので、例えば、ビール等の製造工程においては、仕込み工程の麦汁煮沸後の１００℃の麦汁を約９５℃より醗酵初期工程に必要な７℃まで冷却する冷熱供給用の冷水を形成させる冷熱搬送に係わるもので、前記冷水用冷ブライン形成段階を３段階に分け、等容量のブラインクーラを３段階に縦継なぎにして所用冷ブラインを得て冷水熱交換器まで搬送し該熱交換器を介して約−１℃の冷水を効率的に得るようにしてある。
【００１９】
また、前記請求項１記載の氷蓄熱冷凍ユニット及び請求項２記載のカスケード冷凍ユニットの冷凍機はアンモニア圧縮式冷凍機を使用するとともに、高温の排熱回収を行い給湯用に使用させたことを特徴とする。
【００２０】
前記請求項４記載の発明は、本冷却システムを構成する氷蓄熱冷凍ユニット、カスケード冷凍ユニットの冷凍機及びバックアップ冷凍機の作動媒体及び排熱利用に付き記載したもので、
アンモニア冷媒を使用して環境調和型システムとするとともに、クーリングタワーより凝縮熱の排熱回収を行なわせ、回収した高温水は前記麦汁の煮沸用への流用や構内設備の温熱源や給湯用に使用する構成にしてある。
【００２１】
また、本発明は、前記ダイナミックアイスが、冷熱媒体のプロピレングリコール水溶液を原液とし製造されたダイナミックアイスであり、該ダイナミックアイスを蓄熱槽に蓄熱させ常時貯留する構成にしたことを特徴とする。
【００２２】
前記請求項５記載の発明は、前記冷熱循環供給路に使用する冷熱媒体には、食品の冷却に好適なブラインの使用について記載したものである。
【００２３】
また、前記飲料製品は、ビール等醗酵麦芽飲料を含む冷却工程を必要とするものが前提となる。
【００２４】
特に前記請求項１記載の発明は、ビール等醗酵麦芽飲料に限定されるものでなく、少なくとも製造工程に冷却工程を持つ飲料製品に適用できることを記載してある。
【００２５】
【発明の実施の形態】
以下、本発明を図に示した実施例を用いて詳細に説明する。但し、この実施例に記載される構成部品の寸法、材質、形状、その相対配置などは特に特定的記載が無い限り、この発明の範囲をそれのみに限定する趣旨ではなく単なる説明例に過ぎない。
図１は本発明の飲料製品冷却用ダイナミック冷却システムの概略構成について、ビール等醗酵麦芽飲料の場合について示した模式図で、図２は図１の模式図の一実施例を示す図である。
【００２６】
図１に示すように、本発明のビール等醗酵麦芽飲料を含む飲料製品冷却用ダイナミック冷却システムは、ビール等醗酵麦芽飲料等の製麦工程１５ａよりびん・缶・樽詰め工程１５ｂの間に介在する複数の冷却工程に設けた冷却システムであって、製氷用冷凍機群１７とダイナミックアイス（流動性氷）蓄熱槽１８とよりなる氷蓄熱冷凍ユニット３０と、混相流ステーション１９ａ、１９ｂよりなる混相流ステーション群１９と、カスケード冷凍ユニット２１と、バックアップ冷凍機２３と、
供給路１６ｃ、１６ｄを介して前記混相流ステーション群１９が接続され該混相流が供給される冷水用の冷熱循環供給路（供給側還流路）１６１と、戻し路１６a、１６ｂを介して混相流ステーション群１９が接続され冷熱循環供給路（戻し側還流路）１６０よりの冷熱を混相流ステーション群１９に戻すように構成された冷熱循環供給路群（複数ループの還流路）１６と、前記冷熱循環供給路群１６より冷熱の供給を受ける各冷却ユニットを具えた仕込み工程１４、醗酵工程１１、貯酒工程１２、ろ過工程１３とより構成し、ダイナミックアイス蓄熱槽１８のダイナミックアイスは、高密度熱供給路２６より高密度熱循環供給路２６よりダイナミックアイス供給路１９０及び戻し路１９１を介して前記混相流ステーション群１９へ搬送及び戻して循環するように構成され、冷熱循環供給路１６１、１６０の冷熱媒体であるブラインとの直接接触により潜熱を冷熱に変換して所用の冷熱量を負荷へ供給する構成にしてある。
【００２７】
前記氷蓄熱冷凍ユニット３０は、冷熱媒体のプロピレングリコール約７〜１３％水溶液を原液とし製氷用冷凍機群１７を介してシャーベット状の氷水であるダイナミックアイス（流動性氷）を生成させ、生成されたダイナミックアイスを蓄熱槽１８に蓄熱させ常時貯留する構成にしてある。
なお、図２にみるように麦芽飲料仕込み工程の麦汁冷却部１４ａについては前記混相流ステーション１９ｂから直接仕込み工程の麦汁冷却部１４ａに入り、その出口ブラインは温度が高いので直接カスケード冷凍ユニット２１を介して前記混相流ステーション１９ｂに戻るように構成されている。
【００２８】
図２は、図１の模式図の一実施例を示す配管系統図である。
図２に見るように、プロピレングリコール約７〜１３％水溶液の原液よりダイナミックアイスを生成する製氷用冷凍機１７ａ、１７ｂ、１７ｃ、１７ｄよりなる製氷用冷凍機群１７と、ダイナミックアイス蓄熱槽１８とよりなる氷蓄熱冷凍ユニット３０と、混相流ステーション１９ａ、１９ｂよりなる混相流ステーション群と、冷熱循環供給路１６ａ、１６ｂと高密度熱供給路２６と、冷凍機２１ａ、２１ｂ、２１ｃよりなるカスケード冷凍ユニット２１と、前記冷熱循環供給路１６ａに接続して低温顕熱の供給を受ける醗酵冷却ユニット１１ａ及び貯酒冷却ユニット１２ａと、ビール冷却ユニット１３ａ及び酵母菌冷却槽３０ａと、冷水用の冷熱循環供給路１６ｂに接続して熱交換器２９を介して低温顕熱の供給を受ける熱麦汁冷却器１４ａと、図示しないバックアップ冷凍機とより構成する。
【００２９】
ここで、前記混相流ステーション群における、前記冷熱媒体である冷熱ブライン液へのダイナミックアイスの潜熱供給変換手段について、混相流ステーション１９ａを用いて下記に説明する。
前記混相流ステーション１９ａには、前記蓄熱槽１８のダイナミックアイスを高密度熱供給路２６より冷熱媒体が還流する冷熱循環供給路１６ａにポンプ３１を介して送り込み、ダイナミックアイスと前記冷熱媒体との間での直接接触による混相流の形成により潜熱の冷熱変換をなし所用の冷熱供給を可能にしている。
なお、混相流ステーション１９ｂにおいては、カスケード冷凍ユニット２１から冷水用の冷熱循環供給路１６ｂに送る冷熱媒体であるブラインと高密度熱供給路２６よりのダイナミックアイスとを直接接触させ、前記冷熱循環供給路１６ｂによる冷熱供給をバックアップするように構成してある。
前記混相流形成の結果約−３℃前後の冷熱循環ブライン液の供給を得ることができる。
【００３０】
なお、高密度熱供給路２６にはＩＰＦセンサ（氷充填率センサ）２７を設け、供給されるダイナミックアイスの氷充填率が所用値を維持するように、氷成分を多量に含むブラインを供給するバルブ２８ａ、液体成分を多量に含むブラインを供給するバルブ２８ｂを介して調節する構成にしてある。
【００３１】
前記カスケード冷凍ユニット２１は、アンモニア冷媒により作動する等容量のブラインクーラ２１ａ、２１ｂ、２１ｃを三段縦継なぎとして、プロピレングリコール水溶液をブラインとして使用し、ブラインクーラ２１ｃより戻りブラインを導入させ、ブラインクーラ２１ｂを経由してブラインクーラ２１ａより所用の冷熱を持つ冷ブラインを混相流ステーション１９ｂを経て前記冷水用の冷熱循環供給路１６ｂへ送り出すようにしてある。
なお、前記三段縦継なぎとした等容量のブラインクーラの２１ａ、２１ｂ、２１ｃのアンモニアガスの凝縮熱冷却用の冷却水は温水槽３５での使用済みの低温水を使用し、前記ブラインクーラの熱交換器３３ａ、３３ｂ、３３ｃの順に前記凝縮熱を吸収させ、温水として前記温水槽３５へ排出させ、排熱の有効利用を図っている。
【００３２】
また、製氷用冷凍機１７ａ、１７ｂ、１７ｃ、１７ｄ及びカスケード冷凍ユニット２１の冷凍機２１ａ、２１ｂ、２１ｃ及び図示しないバックアップ冷凍機はアンモニアガスを冷媒とする環境に優しい自然冷媒を使用するとともに、凝縮熱回収熱交換器３２ａ、３２ｂ、３２ｃ、３２ｄと前記した熱交換器３３ａ、３３ｂ、３３ｃを介して排熱回収を行い構内設備の温熱源や給湯用に使用する構成にしてある。
【００３３】
【発明の効果】
本発明は、上記構成により、下記効果を奏する。
１、高密度熱供給路よりの還流する冷熱媒体と蓄熱槽よりのダイナミックアイスとの直接接触による混相流を形成させ、高効率の潜熱変換を可能として醸造工業特有の多様な負荷変動に対応できる。また、仕込み、醗酵、貯酒、ろ過用冷却負荷への潜熱輸送に高密度熱輸送システムを形成させ、効率的熱伝達を可能とするダイナミック冷却を可能としている。
２、前記高密度熱輸送システムの形成により、配管口径の小径化と搬送動力の削減を介して、イニシアルコストならびにランニングコストの低減が可能にすることができる。
３、夜間電力使用可能のダイナミックアイス原液を生成蓄熱する氷蓄熱ユニットの導入により、電力負荷の平準化が図ることができ経済性の向上に貢献できるとともに、安価な電力料金体系である産業用蓄熱調整契約の適用を受け、電力費の削減を図れる。
４、製氷用冷凍機群やカスケード冷凍ユニットやバックアップ用冷凍機にはアンモニアガスを冷媒として使用する構成としたため、環境調和型の冷却システムを形成できる。
【図面の簡単な説明】
【図１】  本発明の飲料製品冷却用ダイナミック冷却システムの概略構成について、ビール等醗酵麦芽飲料の場合について示した模式図である。
【図２】  図１の模式図の一実施例を示す図である。
【図３】  新設した場合のダイナミックアイスシステムの概略の構成を示す図である。
【図４】  従来のビール等醗酵麦芽飲料の冷却システムの概略の構成を示す模式図である。
【符号の説明】
１１    醗酵工程
１２    貯酒工程
１３    ろ過工程
１４    仕込み工程
１５ａ    製麦工程
１５ｂ    びん・缶・樽詰め工程
１６ａ、１６ｂ    冷熱循環供給路
１６    冷熱循環供給路群
１７    製氷用冷凍機群
１８    ダイナミックアイス蓄熱槽
１９ａ、１９ｂ    混相流ステーション
１９    混相流ステーション群
２１    カスケード冷凍ユニット
２３    バックアップ冷凍機
２５    ダイナミックアイス循環ライン
２７    ＩＰＦセンサ
２８ａ、２８ｂ    制御バルブ
２９ａ、  熱交換器
３０    氷蓄熱冷凍ユニット
３０ａ  酵母菌冷却槽
３５    温水槽
【図１】
0003710712.tif 000003
【図２】
0003710712.tif 000004
【図３】
0003710712.tif 000005
【図４】
0003710712.tif 000006